(57)【要約】      （修正有）【課題】非稼動時の専有面積を削減した、小型の顔面撮影装置を提供すること。【解決手段】撮像カメラ４２、及び、その合焦点に被写体となる顔を保持する機構６０（顎台６２、額当てローラ６６）を含む撮影部４０と、該撮影部４０を格納可能に可動保持するベース８０とを備え、非稼動時に撮像カメラを下向きに倒立して収納可能とする。【選択図】図５
2007082920.tif 000002
【特許請求の範囲】
【請求項１】
少なくとも撮像カメラ、及び、その合焦点に被写体となる顔を保持する機構を含む撮影部と、
該撮影部を格納可能に可動保持するベースと、
を備えたことを特徴とする顔面撮像装置。
【請求項２】
前記撮影部が、非稼動時に撮像カメラを下向きに倒立して格納可能とされていることを特徴とする請求項１に記載の顔面撮像装置。
【請求項３】
前記撮像カメラの撮影画面の長手方向と、被写体となる顔の長手方向が一致するようにしたことを特徴とする請求項１又は２に記載の顔面撮像装置。
【請求項４】
前記撮影部の顔保持機構の上下に、カラーチャートが配設されていることを特徴とする請求項３に記載の顔面撮像装置。
【請求項５】
前記可動撮影部の顔保持機構の近傍に、出し入れ可能な校正板が配設されていることを特徴とする請求項１に記載の顔面撮像装置。
【請求項６】
前記撮影部の顔保持機構が、撮像カメラの光軸の方向に移動可能な額当て手段を含むことを特徴とする請求項１に記載の顔面撮像装置。
【請求項７】
前記額当て手段がローラであることを特徴とする請求項６に記載の顔面撮像装置。
【請求項８】
前記ベースに、前記撮像カメラで取得した画像を処理するためのパソコンが内蔵され、そのモニタが、前記ベースから引き出し可能に収容されていることを特徴とする請求項１乃至７のいずれかに記載の顔面撮像装置。
【請求項９】
前記撮影部を格納状態にすると、電源が切れるようにしたことを特徴とする請求項１乃至８のいずれかに記載の顔面撮像装置。
【発明の詳細な説明】
【技術分野】
【０００１】
本発明は、顔面撮像装置に係り、特に、全顔撮影・肌画像解析システムに用いるのに好適な、小型の顔面撮影装置に関する。
【背景技術】
【０００２】
全顔撮影・肌画像解析システムに用いるのに好適な顔面撮影装置として、出願人の一人は特許文献１で、図１（全体図）及び図２（要部の分解斜視図）に示す如く、被写体となる顔を撮像カメラ２の合焦点に保持するための、額保持部となるフレーム８Ｕ及び顎載部９を取付けた下フレーム８Ｄを有する枠状のフェースホルダ４と、該フェースホルダ４と前記撮像カメラ２の間に、フェースホルダ４で保持される顔に対して略同心状に位置するように配された略半円筒状の凹面状光拡散板５と、該凹面状光拡散板５の正面に形成された顔面撮像用開口部６に向かって前記撮像カメラ２から断面積が漸次拡大するように形成された円錐面状又は角錐面状の錐面状光拡散板７とを備え、前記各光拡散板５、７に対してその背面側から光を照射する照明光源２０が前記錐面状光拡散板７の周囲を囲むように配されてなる顔面撮像ボックス１を提案している。図において、３０は、前記撮像カメラ２で取得した画像を処理して肌の状態を解析し、表示するためのノートパソコンである。
【０００３】
【特許文献１】特開２００４−３０２４２４号公報
【発明の開示】
【発明が解決しようとする課題】
【０００４】
しかしながら従来は、ノートパソコン３０を除く顔面撮像ボックス１が一体化されていたため、非稼動時であっても稼動時と同じ面積を専有し、専有面積が大きい。又、顔面撮像ボックス１とノートパソコン３０が別体であったため、顔面撮像ボックス１の置き場所とは別にノートパソコン３０の置き場所を確保する必要がある。更に、撮像カメラ２が、横置きの風景モードとされていたため、図３（Ａ）に示す如く、縦長の人間の顔３８を撮影するとき、顔全てが画面３に納まるように撮影すると、図４に示す如く、レンズ先端と顔３８との距離Ｌを十分に確保する必要があり、顔面撮像ボックス１の奥行きを短くできない。又、フェースホルダ４が被写体となる顔の額前面に当てられる上フレーム８Ｕを有するため、顔の向きを変える場合の移動ストレスが大きい。更に、顔面撮像ボックス１の撮像カメラ２や照明光源２０の電源とノートパソコン３０の電源が別であるため、電源のオンオフ操作が煩わしく、一方又は両者の電源を切り忘れることがあり、エネルギの浪費につながる等の問題点を有していた。
【０００５】
本発明は、前記従来の問題点を解消するべくなされたもので、非稼動時の専有面積を削減可能な、小型の顔面撮像装置を提供することを課題とする。
【課題を解決するための手段】
【０００６】
本発明は、少なくとも撮像カメラ、及び、その合焦点に被写体となる顔を保持する機構を含む撮影部と、該撮影部を格納可能に可動保持するベースと、を備えたことを特徴とする顔面撮像装置により、前記課題を解決したものである。
【０００７】
又、前記撮影部を、非稼動時に撮像カメラを下向きに倒立して格納可能として、内部に埃が溜まらないようにしたものである。
【０００８】
又、前記撮像カメラの撮影画面の長手方向と、被写体となる顔の長手方向が一致するようにして、撮影部の奥行きを短くできるようにしたものである。
【０００９】
又、前記可動撮影部の顔保持機構の上下に、カラーチャートを配設して、色補正精度を向上したものである。
【００１０】
又、前記可動撮影部の顔保持機構の近傍に、出し入れ可能な校正板を配設して、色再現性を向上すると共に、埃の侵入を防止できるようにしたものである。
【００１１】
又、前記撮影部の顔保持機構が、撮像カメラの光軸の方向に移動可能な額当て手段を含むようにして、顔の大きさに拘わらず、顔面をカメラレンズに対して水平に保てるようにし、撮影再現性を確保できるようにしたものである。
【００１２】
又、前記額当て手段をローラとして、撮影時の額当て移動ストレスを少なくしたものである。
【００１３】
又、前記ベースに、前記撮像カメラで取得した画像を処理するためのパソコンを内蔵し、そのモニタを、前記ベースから引き出し可能に収容して、パソコンの設置スペースを不要としたものである。
【００１４】
又、前記撮影部を格納状態にすると、電源が切れるようにして、消し忘れを防止し、省エネルギにつながるようにしたものである。
【発明の効果】
【００１５】
本発明によれば、撮影部を可動とし、格納可能としたので、非稼動時の専有面積を削減できる。
【発明を実施するための最良の形態】
【００１６】
以下図面を参照して、本発明の実施形態を詳細に説明する。
【００１７】
本実施形態は、図５（側面から見た構成を示す模式図）、図６（正面から見た構成を示す模式図）、及び、図７（上面から見た構成を示す模式図）に示す如く、撮像カメラ４２、照明光源としての蛍光灯４４、錐面状の光拡散板４６、前記撮像カメラ４２の合焦点に被写体となる顔を保持するための顎台６２及び額当てローラ６６を有する顔保持機構６０、中央で左右に分割され、両側面のスリットから出し入れ可能な白色の校正板４８、前記顎台６２及び額当てローラ６６の近傍に配設されたカラーチャート５０を含む略砲弾状の撮影部４０と、該撮影部４０を撮像カメラ４２を下向きに倒立して格納可能に可動保持するための、パソコン（ＰＣ）８２が内蔵されると共に、そのモニタ８４が引き出し可能に収容されたベース８０と、を備えている。
【００１８】
前記撮像カメラ４２は、従来例と異なり、図３（Ｂ）に示す如く、その撮影画面の長手方向と、被写体となる顔３８の長手方向が一致するように縦置きのポートレートモードで配置されている。従って、図４に示した被写体の顔３８とレンズの距離Ｌを短くすることができ、撮影部４０の奥行きを縮めることができる。なお、近接撮影時には撮像カメラ４２の被写体深度が浅くなるので、顔の凹凸によるピンボケを防ぐため、最大限顔に近付けることはせず、ある程度の距離は確保するよう最適化することが望ましい。
【００１９】
前記撮影部４０は、図８（Ａ）に示す如く、撮像カメラ４２を下向きにして倒立状態で格納するようにされている。これは、図８（Ｂ）に示す如く、上向きに格納する場合に比べて、収納時の必要な高さＨを低くすることができると共に、埃が入るのを防止するためである。
【００２０】
前記校正板４８は、平面でもよいが、立体である顔表面を撮影するので、左右からの照明照射の影響を受ける。そこで、この校正板４８は、左右からの照明によるムラを吸収するため、曲面形状を取ることが望ましい。
【００２１】
この校正板５２は、図７に示した如く、（Ａ）校正時及び非稼動時には閉じて外部からの埃の侵入を防止すると共に、（Ｂ）顔撮影時には両側に開くようにされている。
【００２２】
前記顎台６２は、図６及び図７に示した如く、弧状のガイド６４に沿って左右に移動可能とされ、又、前記額当てローラ６６は、図９に詳細に示す如くＹ字状のホルダ６８の先端に回動自在に保持され、ガイド７０内を撮像カメラ４２の光軸方向（図９の上下方向）に多段階スライド可能とされている。これは、図１０に示す如く、顔のサイズにより顔面の向き（仰角・俯角）が変化するので、これに対応させるためである。図９において、７２は、ホルダ６８の動きを制限するためのストッパである。
【００２３】
前記カラーチャート５０は、図５に示した如く、被写体の顔の上下に来る位置に配置して、図３（Ｂ）に示す如く、撮像カメラ４２の撮影画面４３を有効に活用するようにされている。
【００２４】
前記モニタ８４の画面には、パソコン８２を操作するためのタッチセンサが設けられている。
【００２５】
以下、図１１を参照して撮影の手順を説明する。
【００２６】
まずステップ１００で、ベース８０に収納されたモニタ８４を引き出し、図１２に示す如く、モニタ８４とベース８０に内蔵されたパソコン８２のポート８３（図５参照）とをケーブル８６で接続する。
【００２７】
次いでステップ１０２に進み、図８（Ａ）に示した下向き格納状態から、図５に示した如く撮影部４０を水平に引き起こす。これにより、撮像カメラ４２及び蛍光灯４４の電源が自動的に入ると共に、パソコン８２の電源も自動的に入る（オートパワーオン）。
【００２８】
次いでステップ１０４で、図７（Ａ）に示した如く、校正板４８を収納したままの状態で、校正撮影を行なう。具体的には、モニタ８４に表示される解析ソフトウェアの画面から、キャリブレーションボタンを選択すると、撮像カメラ４２による撮影が行なわれ、画像が、校正データとしてパソコン８２に保存される。
【００２９】
次いでステップ１０６に進み、顔撮影の準備をする。具体的には、図７（Ｂ）に示した如く、校正板４８を両側に引き出し、撮影顔方向に合わせて、顎台６２の横方向位置を調整する。同時に、額当てローラ６６の前後位置を、撮影面がカメラレンズと平行になるように調整する。
【００３０】
次いでステップ１０８で顔を撮影する。具体的には、顔を撮影部４０に挿入して、顎を顎台６２に載せ、額を額当てローラ６６に密着させて、モニタ８４に表示されている解析ソフトウェアの画面から撮影ボタンを選択する。
【００３１】
次いでステップ１１０に進み、校正を行なう。具体的には、保存した校正データから、照明・拡散板の特性等から生じる局所的な輝度のムラを補正する。
【００３２】
次いでステップ１１２に進み、色補正を行なう。具体的には、図３（Ｂ）に示した如く、顔撮影画像３８の上下にあるカラーチャート５０を用いて色補正を行ない、撮像カメラ４２で行なわれる自動色調整機能を無効化して、ホワイトバランスを一定に保つ。
【００３３】
次いでステップ１１４に進み、輝度ムラ、明るさ、色相のずれを適正に補正した画像を使って、パソコン８２で皮膚の状態を解析し、結果をモニタ８４に表示する。
【００３４】
解析終了後は、ステップ１１６でケーブル８６を外して、モニタ８４をベース８０に収納し、ステップ１１８で撮影部４０を倒立させれば、撮像カメラ４２、蛍光灯４４及びパソコン８２の電源が自動的にオフとされる（オートパワーオフ）。これにより、消し忘れを防止して、省エネルギに役立てることができる。
【００３５】
本実施形態においては、撮像カメラ４２が縦置きとされ、ポートレートモードで撮影可能としたので、図４に示した撮像カメラ４２と被写体の顔３８の距離Ｌを短くして、撮影部４０の奥行きを小さくすることができる。なお、被写体の顔の左右に大きな余白が必要な場合には、従来通り撮像カメラを横置きにすることも可能である。
【００３６】
又、本実施形態においては、図３（Ｂ）に示した如く、カラーチャート５０を顔の上下に配置したので、色補正を正確に行うことができる。なお、いずれか一方を省略することもできる。
【００３７】
又、本実施形態においては、撮影部４０を下向きに格納したので、図８（Ａ）に示した如く、収納時の必要高さＨを低くすると共に、埃が入るのを防止することができる。なお、必要に応じて、図８（Ｂ）に示した如く、逆に撮影部４０を上向きに格納するようにしてもよい。
【００３８】
又、本実施形態においては、図７に示した如く、校正板４８を曲面形状としたので、左右からの照明によるムラを吸収することができる。なお、平面として加工を容易とすることもできる。又、左右に分割するのではなく、１枚の校正板を挿入するようにすることもできる。
【００３９】
又、本実施形態においては、ベース８０にパソコン８２を内蔵すると共に、そのタッチ式モニタ８４をベース８０から引き出し可能に収容したので、パソコンの設置面積が不要である。なお、モニタ８４と別体のキーボードを設けたり、従来と同様に別体のパソコンを外部接続するように構成することもできる。
【００４０】
又、本実施形態においては、額当て手段をローラ６６としたので、顔の方向を変える時のストレスが少ない。なお、ローラでなく、従来例と同様のフレームとすることもできる。
【００４１】
又、本実施形態においては、額当て手段（６６）の位置を撮像カメラ４２の光軸方向に移動可能としたので、図１０に示した如く、被写体の顔３８の大きさに合わせて調整することができる。なお、額当て手段を固定又は取替え式とすることもできる。
【００４２】
又、本実施形態においては、撮影部４０を使用／格納状態にすると、電源が自動的にオンオフするようにしたので、電源スイッチが不要であり、切り忘れも無い。なお、別体の電源スイッチを設けて手動でオンオフするように構成することも可能である。
【００４３】
又、本実施形態においては、撮影部４０の外観形状を砲弾型としたので、非稼動時に埃が付着し難く、且つ、外観も美麗である。なお、撮影部４０の外観形状は砲弾型に限定されない。
【００４４】
又、本実施形態においては、ケーブル８６を用いてパソコン８２とモニタ８４を接続しているので、安価である。なお、両者を無線で接続して、取扱を容易とすることもできる。
【図面の簡単な説明】
【００４５】
【図１】特許文献１で提案した顔面撮像ボックスを示す斜視図
【図２】同じく分解斜視図
【図３】撮像カメラの（Ａ）横置きと（Ｂ）縦置きにおける撮像画面と被写体の顔の関係を比較して示す図
【図４】撮像カメラのレンズと被写体の顔の距離を示す図
【図５】本発明の実施形態の構成を模式的に示す側面図
【図６】同じく正面図
【図７】同じく平面図
【図８】同じく撮影部の格納方向による必要な高さを比較して示す側面図
【図９】同じく額当てローラの移動状態を示す平面図
【図１０】同じく顔サイズによる額当てローラの位置の違いを示す側面図
【図１１】前記実施形態による撮影の手順を示す流れ図
【図１２】同じくモニタ使用時の状態を示す平面図
【符号の説明】
【００４６】
４０…撮影部
４２…撮像カメラ
４４…蛍光灯
４６…光拡散板
４８…校正板
５０…カラーチャート
６０…顔保持機構
６２…顎台
６６…額当てローラ
８０…ベース
８２…パソコン（ＰＣ）
８４…モニタ
８６…ケーブル
【図１】
2007082920.tif 000003
【図２】
2007082920.tif 000004
【図３】
2007082920.tif 000005
【図４】
2007082920.tif 000006
【図５】
2007082920.tif 000007
【図６】
2007082920.tif 000008
【図７】
2007082920.tif 000009
【図８】
2007082920.tif 000010
【図９】
2007082920.tif 000011
【図１０】
2007082920.tif 000012
【図１１】
2007082920.tif 000013
【図１２】
2007082920.tif 000014